(57)【特許請求の範囲】
【請求項１】
建物扉用把手のハンドル部及び台座部を保持する包装体が、
本体板の上端側にて、前方へ突設される天面板と、前記天面板の下方に配設され、前記  ハンドル部が挿通される上方挿通部が形成される保持板とを少なくとも有して、前記保  持板の後方に前記ハンドル部が収容される上方収容空間が形成されるハンドル保持部と  、
前記本体板の下端側にて、前方へ突設される底面板と、立上板を介して前記底面板の上  方に配設され、前記台座部が挿通される下方挿通部が形成される載置板とを少なくとも  有して、前記底面板と前記載置板との間に少なくとも前記台座部の一部が収容される下  方収容空間が形成される台座保持部と、を備え、
前記ハンドル保持部は、前記本体板の左右方向に対して所定の間隙部を有して相互に並 設して形成され、
前記包装体において、一対の前記建物扉用把手が前記台座部を対向配置させた状態で前 記ハンドル保持部及び前記台座保持部に収容される建物扉用把手の包装構造であって、 前記建物扉用把手の関連部品を収容する収容箱が前記間隙部に配設されることを特徴と する建物扉用把手の包装構造。
【請求項２】
前記ハンドル保持部は、前記本体板と前記保持板とを連結し、前記ハンドル保持部の 側面を形成する上方側板を有してなる請求項１に記載の建物扉用把手の包装構造。
【請求項３】
前記上方挿通部は前記ハンドル部の外形を保持し、前記下方挿通部は前記台座部の外 形を保持する請求項１又は請求項２に記載の建物扉用把手の包装構造。
【請求項４】
前記天面板には、前記収容箱の上端面に設けられる表示部を上方から視認可能な窓部 が形成される請求項１から請求項３のいずれか１項に記載の建物扉用把手の包装構造。  
【請求項５】
前記ハンドル保持部及び前記台座保持部の前方を覆設する前面カバー部と、前記ハン ドル保持部及び前記台座保持部の側面を覆設する側面カバー部とから構成され、前記本 体板、前記ハンドル保持部及び前記台座保持部のうちの少なくとも２箇所に係止される カバー体を備える請求項１から請求項４のいずれか１項に記載の建物扉用把手の包装構  造。
【請求項６】
前記収容箱における前後方向の寸法は、前記ハンドル保持部及び前記台座保持部にお ける前後方向の寸法より大きくなるよう設定され、前記収容箱が前記カバー体に当接す る請求項５に記載の建物扉用把手の包装構造。
【発明の詳細な説明】
【技術分野】
【０００１】
本発明は、包装体に関するものであって、特にハンドル部と台座部とを備える建物扉用把手を収容する包装体及び建築扉用把手の包装構造に関するものである。
【背景技術】
【０００２】
従来より、ドアハンドル等の建築扉用把手を収容することができる包装体が公知である。例えば、長方形状のシート体を折り曲げて形成する６面体よりなる包装体であって、シート体には、少なくとも天面、側面、底面及び他方側の側面が長手方向に一連に形成され、天面又は底面には、長手方向と平行に形成された折曲直線と、折曲直線を上底とし且つ側面と略同じ高さを備えた台形形状の下底及び一対の斜辺が切り込まれた切込線とが平面視して対称に形成されて一対の切込片をなし、これら一対の切込片が、折曲直線で折り曲げて略垂直に立ち上げられることにより側面と直交する方向に配置される両側面を構成する包装体が公知である（特許文献１参照）。
【先行技術文献】
【特許文献】
【０００３】
【特許文献１】特開２０１１−１１１１６６号
【発明の概要】
【発明が解決しようとする課題】
【０００４】
しかしながら、上記構造の包装体においては、透明のビニール等の袋に入れられたドアハンドルを天面の内面上に載置して、被せ面をドアハンドルを覆うように折曲させて梱包することにより、天面に形成された開口部からドアハンドルを視認可能としているため、ハンドル部の一部は視認できるものの、天面における開口部の間に底面中間部が設けられるため、当該底面中間部に位置する台座部の視認に困難性を要するものであった。これによって、ドアハンドルの全体形状を視認することができないため、意匠性の低下によりユーザの購買意欲の低下が懸念されるものであった。
【０００５】
また、包装体に収容されるドアハンドルの上下方向においては、天面と被せ面との間に設けられた側面と、押さえ面との間で包まれた状態となるものであるが、当該押さえ面にて形成され、ドアハンドルの台座を保護する切り起こし片のみでは十分な緩衝機能を有するものではなかった。
【０００６】
そこで、本発明はこのような問題点を解決するものであって、建築扉用把手の視認性を向上させるとともに、優れた緩衝機能を備える包装体及び建築扉用把手の包装構造を提供することを課題とする。
【課題を解決するための手段】
【０００７】
前記問題点を解決するために、本発明の請求項１に記載の建物扉用把手の包装構造
は、建物扉用把手のハンドル部及び台座部を保持する包装体が、本体板の上端側にて、
前方へ突設される天面板と、前記天面板の下方に配設され、前記ハンドル部が挿通され
る上方挿通部が形成される保持板とを少なくとも有して、前記保持板の後方に前記ハン
ドル部が収容される上方収容空間が形成されるハンドル保持部と、前記本体板の下端側
にて、前方へ突設される底面板と、立上板を介して前記底面板の上方に配設され、前記
台座部が挿通される下方挿通部が形成される載置板とを少なくとも有して、前記底面板
と前記載置板との間に少なくとも前記台座部の一部が収容される下方収容空間が形成さ
れる台座保持部とを備え、前記ハンドル保持部は、前記本体板の左右方向に対して所定
の間隙部を有して相互に並設して形成され、前記包装体において、一対の前記建物扉用
把手が前記台座部を対向配置させた状態で前記ハンドル保持部及び前記台座保持部に収
容される建物扉用把手の包装構造であって、前記建物扉用把手の関連部品を収容する収 容箱が前記間隙部に配設されることを特徴とするものである。
【０００９】
また、本発明の請求項２に記載の建物扉用把手の包装構造は、請求項１に記載の建物
扉用把手の包装構造において、前記ハンドル保持部は、前記本体板と前記保持板とを連
結し、前記ハンドル保持部の側面を形成する上方側板を有してなるものである。
【００１０】
また、本発明の請求項３に記載の建物扉用把手の包装構造は、請求項１又は請求項２
に記載の建物扉用把手の包装構造において、前記上方挿通部は前記ハンドル部の外形を
保持し、前記下方挿通部は前記台座部の外形を保持するものである。
【００１２】
また、本発明の請求項４に記載の建物扉用把手の包装構造は、請求項１から請求項
３のいずれか１項に記載の建物扉用把手の包装構造において、前記天面板には、前記収
容箱の上端面に設けられる表示部を上方から視認可能な窓部が形成されるものである。
【００１３】
また、本発明の請求項５に記載の建物扉用把手の包装構造は、請求項１から請求項４
のいずれか１項に記載の建物扉用把手の包装構造において、前記ハンドル保持部及び前
記台座保持部の前方を覆設する前面カバー部と、前記ハンドル保持部及び前記台座保持
部の側面を覆設する側面カバー部とから構成され、前記本体板、前記ハンドル保持部及
び前記台座保持部のうちの少なくとも２箇所に係止されるカバー体を備えるものであ
る。
【００１４】
また、本発明の請求項６に記載の建物扉用把手の包装構造は、請求項５に記載の  建
物扉用把手の包装構造において、前記収容箱における前後方向の寸法は、前記ハンドル
保持部及び前記台座保持部における前後方向の寸法より大きくなるよう設定され、前記
収容箱が前記カバー体に当接するものである。
【発明の効果】
【００１６】
本発明の建物扉用把手の包装構造では、包装体により、本体板の上端側にハンドル部
を収容可能とするハンドル部が形成されるとともに、本体板の下端側に少なくとも台座
部の一部を収容可能とする台座保持部が形成されるので、建物扉用把手を自立させた状
態で、且つ、ハンドル部及び台座部の収容部分を除いた大部分の形状を視認可能とする
ことができる。これにより、建築扉用把手の視認性を向上させることができることか
ら、意匠性を向上させることができ、ユーザの購買意欲を向上させることができる。ま
た、ハンドル部と台座部とが夫々の保持部にて保持された状態で収容されることから、
優れた緩衝機能を備えたものとなる。
【図面の簡単な説明】
【００１７】
【図１】本発明の実施例における包装体を展開した状態の裏面図である。
【図２】本発明の実施例における包装体の組立途中状態の斜視図である。
【図３】本発明の実施例における包装体を組み立てた状態の斜視図である。
【図４】本発明の実施例における包装体の図３のＡ−Ａ拡大断面図である。
【図５】本発明の実施例における包装体にて包装する際の分解斜視図である。
【図６】本発明の実施例における包装体に建物扉用把手を収容した状態の正面図である。
【図７】本発明の実施例における包装体にカバー体を取り付けた状態の斜視図である。
【図８】本発明の実施例における包装体の図７のＢ−Ｂ拡大断面図である。
【図９】本発明の実施例における包装体を収容ケースに収容した際の斜視図である。
【発明を実施するための形態】
【００１８】
以下、本発明の実施の形態における包装体を図面に基づいて説明する。当該包装体を組み立てた状態を基準として、基準面側を当該包装体の下方とし、他方を当該包装体の上方とする。また、建物扉用把手が包装体に収容された状態において、当該把手側を前方とし、他方を後方とする。さらに、展開図において、縦方向を上下方向とし、横方向を左右方向とする。
【００１９】
当該包装体は、連結部を介してハンドル部が略Ｌ字状に台座部に連結される建物扉用把手のハンドル部と台座部とを保持した状態で収容することができるものである。具体的には、建物扉用把手のハンドル部を保持するハンドル保持部と、建物扉用把手の台座部を保持する台座保持部とが本体板の上下端側に夫々形成されるものである。
【００２０】
そして、ハンドル保持部は、本体板の上端側にて、前方へ突設される天面板と、ハンドル部が挿通される上方挿通部が形成される保持板とを少なくとも有し、保持板の後方にハンドル部を収容する上方収容空間が形成されるものである。また、台座保持部は、本体板の下端側にて、前方へ突設される底面板と、立上板を介して底面板の上方に配設され、台座部が挿通される下方挿通部が形成される載置板とを少なくとも有して、底面板と載置板との間に少なくとも台座部の一部を収容する下方収容空間が形成されるものである。
【実施例】
【００２１】
本発明に係る包装体Ｂ１は、一枚の厚紙等のシート材、台紙等から形成されており、図１に示すような展開図からなるものである。図１は、当該包装体Ｂ１を展開した状態の裏面図である。
【００２２】
包装体Ｂ１は展開した状態において、包装体Ｂ１の基部となる本体板１の上端にハンドル保持部Ｈを構成する各構成板が折線を介して縦一方向に順次連接している。また、当該本体板１の下端に台座保持部Ｓを構成する各構成が折線を介して縦一方向に順次連接している。
【００２３】
本体板１は、包装体Ｂ１の組立状態において、前方にハンドル保持部Ｈ及び台座保持部Ｓを形成して、建物扉用把手ＬＨを収容するため、包装体Ｂ１の背面を構成するものである。当該本体板１は、例えば、略長方形状に形成されており、左右方向に台座部ＬＨ２を対向配置させた状態で一対の建物扉用把手ＬＨを収容し得るよう、本体板１の縦寸法及び横寸法が設定されている。
【００２４】
本体板１には、上端に折線ａを介してハンドル保持部Ｈの天面を構成する天面板２が設けられる。当該天面板２の横寸法は、本体板１の横寸法と略同等とされ、天面板２の上方側には、後述する収容箱Ｂ２の表示部２５が視認可能となるよう窓部３が設けられる。
【００２５】
また、天面板２には、上端に折線ｂを介して保持板４が天面板２の左右両端部に夫々設けられる。当該保持板４は、ハンドル保持部Ｈの前面部を構成するものである。夫々の保持板４の横寸法は、天面板２における横寸法の略１／３程度とされ、保持板４の下方側には、ハンドル部ＬＨ１が挿通される上方挿通部が形成される。
【００２６】
当該上方挿通部の横寸法は、ハンドル部ＬＨ１の外形を挿通することができるよう、ハンドル部ＬＨ１における最大横寸法よりも大きくなるよう設定されている。また、建物扉用把手ＬＨにおけるハンドル部ＬＨ１の先端部が掛止可能となるよう、上方挿通部における略中央部の横方向に形成される切断線を介して、上下に分断され、前後方向に折り返し可能な折り返し片が形成される。上方側の折り返し片は第１折り返し片４ａとされ、折り返しによる反力によってハンドル部ＬＨ１を前方へ支持するものである。
【００２７】
一方、下方側の折り返し片は第２折り返し片４ｂとされ、ハンドル部ＬＨ１の先端部が保持板４に掛かるよう掛止し、抜け止めを防止するものである。当該第２折り返し片４ｂは、折り返しによる復元力を向上させるため、第１折り返し片４ａより区画面積が小さくなるよう設定されることが望ましい。
【００２８】
また、保持板４には、外側方向における左右両端に折線ｃを介して上方側板５が設けられる。上方側板５は、保持板４の縦寸法と同等の寸法からなる斜辺部を折線ｃとする略直角三角形状に形成される。また、上方側板５には、右上端から折線ｄを介して第１上方係止片６が設けられるとともに、右下端から折線ｅを介して第２上方係止片７が設けられる。
【００２９】
これら第１上方係止片６及び第２上方係止片７は、本体板１に設けられる第１上方突片９、天面板２に設けられる第２上方突片１１に夫々係止されることで、ハンドル保持部Ｈにおける保持板４を本体板１に固着させ、ハンドル保持部Ｈの組立状態を維持するための固着手段として設けられる。
【００３０】
また、保持板４には、内側方向における左右両端に折線ｆを介して保持側板８が設けられる。保持側板８は、保持板４の縦寸法と同等の寸法からなる辺を下底とする略台形状に形成される。当該保持側板８は、後述する建物扉用把手ＬＨの関連部品を収容する収容箱Ｂ２を左右両側から支持するために設けられる。
【００３１】
また、上方側板５の第１上方係止片６に対応する構成片は第１上方突片９とされ、本体板１の左右両端に折線ｇを介して設けられる。当該第１上方突片９は、折線ｇにて折曲させることで、折線ｇの一部に本体側係止孔１０が形成されるよう構成されており、上方側板５の第１上方係止片６を本体側係止孔１０に係止することで、ハンドル保持部Ｈにおける保持板４を本体板１に固着することができる。第１上方突片９は、例えば、本体板１側を下底とする略台形状に形成される。
【００３２】
また、上方側板５の第２上方係止片７に対応する構成片は第２上方突片１１とされ、天面板２の左右両端に折線ｈを介して設けられる。当該第２上方突片１１は、折線ｈにて折曲させることで、折線ｈの一部に天面側係止孔１２が形成されるよう構成されており、上方側板５の第２上方係止片７を天面側係止孔１２に係止することで、ハンドル保持部Ｈにおける保持板４を本体板１に固着することができる。第２上方突片１１は、例えば、天面板２側を下底とする略台形状に形成される。
【００３３】
また、本体板１には、下端に折線ｉを介して台座保持部Ｓの底面を構成する底面板１３が設けられる。当該底面板１３の横寸法は、本体板１の横寸法と略同等とされ、底面板１３の縦寸法は、天面板２の縦寸法と略同等となるよう設定される。これにより、本体板１の前方へ突設されるハンドル保持部Ｈと台座保持部Ｓとの前後方向の寸法を略同等とすることができる。
【００３４】
また、底面板１３には、下端に折線ｊを介して立上板１４が設けられ、当該立上板１４には、下端に折線ｋを介して台座部ＬＨ２が載置される載置板１５が設けられる。また、載置板１５には、下端に折線ｌを介して補強板１６が設けられる。立上板１４は、載置板１５を底面板１３の上方にて中空保持するために設けられており、立上板１４の横寸法は、底面板１３の横寸法と略同等となるよう形成され、縦寸法は適宜の寸法となるよう形成される。また、補強板１６は、立上板１４と略同等形状となるよう形成されており、台座保持部Ｓにおける組立状態の載置板１５を立上板１４とともに、前後方向から中空保持して補強するために設けられる。
【００３５】
また、載置板１５の略中央部には、台座部ＬＨ２が挿通される下方挿通部１７が形成される。当該下方挿通部１７は、収容時に一対の台座部ＬＨ２に対応するよう所定の間隔を有して２箇所に貫通して形成されており、台座部ＬＨ２の一部を挿通させることで台座部ＬＨ２の外形を保持することができる形状であれば、特に制限されるものではない。
【００３６】
また、載置板１５には、左右両端に折線ｍを介して下方側板１８が設けられる。下方側板１８は、立上板１４及び補強板１６における縦寸法と略同等の横寸法を有してなり、台座保持部Ｓにおける組立状態の載置板１５を立上板１４等とともに、左右方向から中空保持するものである。
【００３７】
下方側板１８には、左右両端に折線ｎを介して下方係止片１９が設けられており、底面板１３に設けられる下方突片２０に夫々係止されることで、台座保持部Ｓの組立状態を維持するための固着手段として設けられる。
【００３８】
下方係止片１９に対応する構成片は下方突片２０とされ、底面板１３の左右両端に折線ｏを介して設けられる。当該下方突片２０は、折線ｏにて折曲させることで、折線ｏの一部に底面側係止孔２１が形成されるよう構成されており、下方側板１８の下方係止片１９を底面側係止孔２１に係止することで、台座保持部Ｓの組立状態を維持することができる。下方突片２０は、例えば、底面板１３側を下底とする略台形状に形成される。
【００３９】
このようにして、展開図が形成される包装体Ｂ１は、次のようにして組み立てられる。以下の組み立て順序は一例であり、これに限られるものではないのは勿論である。
【００４０】
まず、本体板１の上端側におけるハンドル保持部Ｈを組み立てる場合においては、折線ａに沿って天面板２を前方側へ折曲させるとともに、折線ｂに沿って左右の保持板４を前方側へ折曲させる。このとき、同様にして、折線ｃに沿って上方側板５を前方側へ折曲させるとともに、係止片となる第１上方係止片６、第２上方係止片７を折線ｄ、ｅに沿って夫々折曲させる。また、これら上方係止片に係止される第１上方係止片６、第２上方係止片７を折線ｇ、ｈに沿って夫々折曲させる。同様にして、折線ｆに沿って保持側板８を前方側へ折曲させておく。
【００４１】
そして、図２から図４に示すように、第１上方係止片６を第１上方突片９の本体側係止孔１０へ係止させるとともに、第２上方係止片７を第２上方突片１１の天面側係止孔１２に形成させることで、ハンドル保持部Ｈの組立状態とする。当該組立状態においては、本体板１の前方側であって、天面板２の前方側から本体板１に向けて保持板４が傾斜状に配設され、本体板１、天面板２及び保持板４にて断面視略三角状の上方収容空間が形成される。
【００４２】
一方、本体板１の下端側における台座保持部Ｓを組み立てる場合においては、折線ｉに沿って底面板１３を前方側へ折曲させるとともに、折線ｊに沿って立上板１４、折線ｋに沿って載置板１５、折線ｌに沿って補強板１６を夫々前方側へ折曲させる。このとき、同様にして、折線ｍに沿って下方側板１８を前方側へ折曲させるとともに、折線ｎに沿って下方係止片１９、これに係止される下方突片２０を折線ｏに沿って夫々折曲させておく。
【００４３】
そして、同図２から図４に示すように、下方係止片１９を下方突片２０の底面側係止孔２１に係止させることで、台座保持部Ｓの組立状態とする。当該組立状態においては、本体板１の前方側に底面板１３の前方側から上方に向けて立上板１４が配設され、底面板１３の上方に載置板１５が配設された状態となり、底面板１３、立上板１４、載置板１５及び補強板１６にて断面視略四角状の下方収容空間が形成される。
【００４４】
このようにして構成される包装体Ｂ１において、図５から図９に示すように一対の建物扉用把手ＬＨが収容される。具体的には、一対の建物扉用把手ＬＨは、一方の建物扉用把手ＬＨの台座部ＬＨ２から突出して設けられる軸部ＬＨ４を介して、台座部ＬＨ２における扉と当接する受け面ＬＨ５を対向させた状態で他方の建物扉用把手ＬＨが連結されている。このとき、施錠可能な建物扉用把手ＬＨにおいては、双方の台座部ＬＨ２の間の軸部ＬＨ４に鍵部ＬＨ６を取り付けることができる。
【００４５】
一対の建物扉用把手ＬＨは、載置板１５に形成される下方挿通部１７に一対の台座部ＬＨ２を挿通するとともに、ハンドル部ＬＨ１にて保持部の上方挿通部を構成する第１折り返し片４ａ及び第２折り返し片４ｂを後方へ押圧して、相互のハンドル部ＬＨ１を挿通する。これにより、ハンドル部ＬＨ１が上方収容空間へと収容されるとともに、台座部ＬＨ２が下方収容空間へと収容された状態となる。
【００４６】
当該状態においては、図６に示すように、台座部ＬＨ２の外形が下方挿通部１７によって保持されることから、下方収容空間内にて、台座部ＬＨ２と底面板１３との間に間隙を有した状態で収容することができ、緩衝性機能を付与することができる。
【００４７】
また、図６及び図８に示すように、ハンドル部ＬＨ１が上方挿通部に挿通され、ハンドル部ＬＨ１によって後方へ押圧される第１折り返し片４ａがその反力によって、ハンドル部ＬＨ１を略鉛直方向に支持するとともに、第２折り返し片４ｂがその反力によって折り返し前の略初期位置へと復元されるため、ハンドル部ＬＨ１の抜け止め防止として機能させることができる。また、上方収容空間にて、ハンドル部ＬＨ１の先端部と天面板２との間に間隙を有した状態で収容することができ、同様に緩衝機能を付与することができる。
【００４８】
そして、建物扉用把手ＬＨが収容された状態においては、図６及び図７に示すように、建物扉用把手ＬＨの設置時に関する取替用ラッチ、ボルト等の関連部品を収容する収容箱Ｂ２が左右方向におけるハンドル保持部Ｈの間隙であって、収容箱Ｂ２の下端面２２が台座部ＬＨ２の上端に当接するように配設される。当該収容箱Ｂ２は、例えば、上方側に開閉蓋を有する直方体又は立方体からなり、左右方向の寸法は左右方向におけるハンドル保持部Ｈの間隙と略同等となるよう形成される。これにより、保持側板８の折り返しによる反力によって、収容箱Ｂ２を左右両端から支持することができる。
【００４９】
また、図５に示すように、収容箱Ｂ２の下端面２２には、台座部ＬＨ２を対向配置させた状態で収容される一対の建物扉用把手ＬＨにおける関連部品の一部となる軸部ＬＨ４に取り付けられた鍵部ＬＨ６を挿通する部品挿通部２３が設けられる。当該部品挿通部２３は、ハンドル保持部Ｈの上方挿通部と同様にして、複数の折り返し片から構成される。これにより、ユーザが購入の際に、鍵部ＬＨ６の有無を視認することができる。また、収容箱Ｂ２における前後方向の寸法においては、ハンドル保持部Ｈ及び台座保持部Ｓの前後方向の寸法より大きくなるよう設定されている。
【００５０】
さらに、収容箱Ｂ２の上端面２４には、建物扉用把手ＬＨの品名、型番、バーコード等が印字される表示部２５を設けることができ、当該表示部２５の位置を天面板２における窓部３の位置と対応させることで、表示部２５を外部から視認可能とすることができる。すなわち、収容箱Ｂ２に表示部２５を印字することで、丁付けに関する数量を増加させることができ、コストを削減することができる。また、包装体Ｂ１に表示部２５を設けるためのスペースを省略することができるので、印字におけるデザイン性を向上させることができる。
【００５１】
さらに、建物扉用把手ＬＨ及び収容箱Ｂ２が収容された建物扉用把手ＬＨの包装構造については、積載時、輸送時等の強度を向上させるために、建物扉用把手ＬＨの前方側にカバー体Ｃ１を配設し、当該カバー体Ｃ１を包装体Ｂ１に固着した状態で収容ケースＣ２に収容される。
【００５２】
具体的には、カバー体Ｃ１は、図５、図７及び図８に示すように、一枚の合成樹脂製の透明シート材から形成されており、側部を構成する２枚の側面カバー部２７と前面カバー部２８とを折線を介して連接している。側面カバー部２７には、後方側に上方カバー係止片２９が設けられるとともに、下方側に下方カバー係止片３０が設けられる。
【００５３】
そして、前面カバー部２８を建物扉用把手ＬＨの前方側に配置した状態で、側面カバー部２７の上方カバー係止片２９を本体板１の本体側係止孔１０に係止させるとともに、下方カバー係止片３０を底面板１３の底面側係止孔２１へ係止させることで、カバー体Ｃ１を包装体Ｂ１に固着する。
【００５４】
係る状態において、カバー体Ｃ１は、図８に示すように、前面カバー部２８が収容箱Ｂ２の前端面２６に当接するとともに、側面カバー部２７が上方側板５及び下方側板１８に当接した状態となる。このとき、収容箱Ｂ２における前後方向の寸法においては、ハンドル保持部Ｈ及び台座保持部Ｓの前後方向の寸法より大きくなるよう設定されているため、建物扉用把手ＬＨとカバー体Ｃ１の前面カバー部２８との間に間隙が形成された状態となり、建物扉用把手ＬＨと前面カバー部２８との摺動による損傷等を防止することができる。
【００５５】
また、包装体Ｂ１に対するカバー体Ｃ１の固着においては、本体板１におけるハンドル保持部Ｈ及び台座保持部Ｓを形成する際の本体側係止孔１０、底面側係止孔２１を共通して使用することができるため、有用である。さらに、ハンドル保持部Ｈ及び台座保持部Ｓの前方側から固着するため、夫々の組立状態の形状維持性を向上することができる。
【００５６】
そして、カバー体Ｃ１が固着された包装体Ｂ１においては、図５及び図９に示すように、一枚の合成樹脂製の透明シート材から形成され、上方側に開閉蓋を有する直方体の収容ケースＣ２に収容され、展示、販売が可能な状態とされる。当該収容ケースＣ２は、カバー体Ｃ１が固着された包装体Ｂ１の収容に際して、公知の形状、構造とすることができるが、展示、販売等の際に陳列しやすいよう、フック等に吊り下げ可能な貫通孔３１を有する把持部３２を設けることが望ましい。
【００５７】
以上、説明した本発明に係る包装体Ｂ１によれば、本体板１の上端側にハンドル部ＬＨ１を収容可能とするハンドル部ＬＨ１が形成されるとともに、本体板１の下端側に少なくとも台座部ＬＨ２の一部を収容可能とする台座保持部Ｓが形成されるので、建物扉用把手ＬＨを自立させた状態で、且つ、ハンドル部ＬＨ１及び台座部ＬＨ２の収容部分を除いた大部分の形状を視認可能とすることができる。これにより、建築扉用把手の視認性を向上させることができることから、意匠性を向上させることができるので、ユーザの購買意欲を向上にも繋がる。また、ハンドル部ＬＨ１と台座部ＬＨ２とが夫々の保持部にて保持された状態で収容されることから、優れた緩衝機能を備えたものとなる。
【００５８】
上記実施例において、本体板１、ハンドル保持部Ｈ、台座保持部Ｓ等の形状を適宜変更して実施することが可能である。例えば、天面板２には、収容箱Ｂ２の表示部２５を視認可能とする窓部３が設けられるものであったが、天面板２に窓部３を設けない構成とすることもできる。係る際において、天面板２は、左右方向に設けられる保持部に対応するよう、左右方向に分断させた状態で本体板１に連設して構成することもできる。これにより、左右方向におけるハンドル保持部Ｈの間隙に収容箱Ｂ２が配設された状態において、収容箱Ｂ２の上端面２４を視認することができるので、略同様の効果を奏することができる。
【００５９】
また、ハンドル保持部Ｈの上方挿通部、収容箱Ｂ２の部品挿通部２３は、複数の折り返し片を分断して開口を形成するものであったが、これに限られるものではなく、例えば、１片の折り返し片から構成することもできるし、貫通孔３１とすることもできる。係る際において、上方挿通部を１片の折り返し片とする場合には、ハンドル部ＬＨ１の抜け止めの観点から、上方挿通部の上方側に折り返し片を設けることが望ましい。
【００６０】
また、ハンドル保持部Ｈにおける組立状態を維持するための固着手段とされる、上方側板５の第１上方係止片６、第２上方係止片７、本体板１の第１上方突片９、天面板２の第２上方突片１１は、折線ｃを介して保持板４の左右方向に連設される上方側板５を天面板２及び本体板１に連結させるものであったが、これに限られるものではない。例えば、ハンドル保持部Ｈにおける左右外側方向の側面を覆設し得る構成であれば、上方側板５を天面板２の外側方向における左右両端に折線を介して設けることもできるし、本体板１の外側方向における左右両端に折線を介して設けることもできる。係る際において、係止片、突片を適宜の箇所に設けて固着手段とすることができるのは勿論である。
【００６１】
また、ハンドル保持部Ｈを組み立てることなく、保持板４の折り曲げ状態にて上方挿通部にハンドル部ＬＨ１を挿通させることで保持可能な状態であれば、上方側板５を設けない構成とすることもできる。すなわち、ハンドル保持部Ｈにおいては、天面板２と保持板４とを少なくとも有した状態で形成されてあればよい趣旨である。
【００６２】
また、上方収容空間においては、本体板１、天面板２及び保持板４にて断面視略三角状に形成されるものであったが、これに限られるものではない。例えば、保持板４を本体板１と略平行となるように配設させ、本体板１、天面板２及び保持板４にて断面視略四角状の上方収容空間とすることもできる。係る際において、上方側板５が略四角状に形成されるのは勿論であるし、ハンドル保持部Ｈにおける天面板２の対向する下方位置に構成板を設けることができるのは勿論である。
【００６３】
また、保持側板８の形状は、略台形状に形成されるものであったが、上方側板５と同様の形状とすることもできるし、これに限られるものではない。すなわち、保持側板８は、収容箱Ｂ２を左右両側から支持することができる形状であればよい趣旨である。
【００６４】
また、台座保持部Ｓにおいては、下方挿通部１７にて台座部ＬＨ２の一部を保持するものであったが、これに限られるものではない。例えば、下方挿通部１７の外形を適宜の形状とすることで、台座部ＬＨ２の一部と連結部ＬＨ３の一部とを保持する構成とすることもできる。すなわち、少なくとも台座部ＬＨ２の一部が下方収容空間に形成されてあればよい趣旨である。
【００６５】
また、台座保持部Ｓを組み立てることなく、立上板１４及び載置板１５の折り曲げ状態にて下方挿通部１７に台座部ＬＨ２を挿通させることで保持可能な状態であれば、下方側板１８及び補強板１６を設けない構成とすることもできる。すなわち、台座保持部Ｓにおいては、底面板１３、立上板１４及び載置板１５とを少なくとも有した状態で形成されてあればよい趣旨である。
【００６６】
また、カバー体Ｃ１においては、側面カバー部２７の上方カバー係止片２９を本体板１の本体側係止孔１０に係止させるとともに、下方カバー係止片３０を底面板１３の底面側係止孔２１へ係止させて、包装体Ｂ１に固着するものであったが、これに限られるものではない。例えば、側面カバー部２７に天面側係止孔１２に係止可能な上方カバー係止片２９を設け、これを天面側係止孔１２に係止させるとともに、下方カバー係止片３０を底面板１３の底面側係止孔２１へ係止させる構成とすることもできる。
【００６７】
また、包装体Ｂ１への係止片は、側面カバー部２７に限られることなく、前面カバー部２８に設けることもできる。係る際においては、天面板２と保持板４との境界、立上板１４と底面板１３との境界に夫々設けられる係止孔に前面カバー部２８の係止片を係止させる構成とすることができる。すなわち、前面カバー部２８又は側面カバー部２７が本体板１、ハンドル保持部Ｈ及び台座保持部Ｓのうちの少なくとも２箇所に係止可能となるよう構成されるものであればよい趣旨である。
【００６８】
また、上記実施例において、一部構成を省略することができるし、一部抽出した構成とすることができるのは勿論である。
【符号の説明】
【００６９】
１      本体板
２      天面板
３      窓部
４      保持板
５      上方側板
１３    底面板
１４    立上板
１５    載置板
２５    表示部
２７    側面カバー部
２８    前面カバー部
Ｂ１    包装体
Ｈ      ハンドル保持部
Ｓ      台座保持部
Ｂ２    収容箱
Ｃ１    カバー体
ＬＨ    建物扉用把手
ＬＨ１  ハンドル部
ＬＨ２  台座部
ａ〜ｏ  折線
【図１】
0006778925.tif 000002
【図２】
0006778925.tif 000003
【図３】
0006778925.tif 000004
【図４】
0006778925.tif 000005
【図５】
0006778925.tif 000006
【図６】
0006778925.tif 000007
【図７】
0006778925.tif 000008
【図８】
0006778925.tif 000009
【図９】
0006778925.tif 000010